Podtech/llm-jp-corpus-v4-ja_patent huggingface dataset:
(57)【要約】【課題】  法面保護工で地山の崩壊防止の目的で使用される金網、ワイヤーロープ等を地山に密着させて崩壊防止効果を向上させたい。【解決手段】  鉄筋を井桁状に溶接し、鉄筋の交点部にロックボルトアンカーを施工して井桁状のプレートをロックボルトで法面に引き付ける。【選択図】  図１
2007239399.tif 000002
【特許請求の範囲】
【請求項１】
法面保護工に使用されるロックボルトの頭部に取り付けられるプレートで、金網、ワイヤーロープ等を地山に密着させる目的で使用されるところの鉄筋を井桁状に組んだ構造を特徴とするイゲタプレート
【請求項２】
請求工１を使用した法面防護工法。
【発明の詳細な説明】
【技術分野】
【０００１】
道路災害防除工で法面上に金網やワイヤーロープ等を張り廻らし法面の崩壊、落石防止を計る法面保護工に使用する。
【背景技術】
【０００２】
法面の崩壊防止を目的に地中にロックボルトを打ち込み土塊の移動を防止する補強土工が存在するが、地表面の侵食予防又は転石防止の目的で植生マット、金網、ワイヤーロープ等を敷設し、ロックボルトの頭部に鉄板もしくはコンクリート板を取付け植生マット、金網、ワイヤーロープ等を地山に密着させている。
【発明の開示】
【発明が解決しようとする課題】
【０００３】
植生マット、金網、ワイヤーロープ等を地山に広範囲に密着させる為には、鉄板もしくはコンクリート板の形状を大きくすることが望ましいが斜面上を運搬、移動させるのが困難でプレートを大きくすると地山との密着度が悪くなる弊害があった。
【課題を解決するための手段】
【０００４】
本案は鉄筋を井桁状に溶接し、鉄筋の先端部が交点より放射状になるように加工し、密着の影響範囲が均等に分散されるようにしている。
【発明の効果】
【０００５】
鉄筋を井桁状に成形した事により植生マット、金網、ワイヤーロープ等を地山の形状により一層密着させられると共に軽量化により斜面上の運搬、移動が容易になった。
【図面の簡単な説明】
【０００６】
【図１】イゲタプレートの形状図
【図２】本案の施工状況の断面図
【図１】
2007239399.tif 000003
【図２】
2007239399.tif 000004
(57)【要約】【課題】簡単にかつ短時間で形成できる建築用外壁部材を提供する。【解決手段】建築用外壁部は、ガラスビーズと繊維とをバインダーで一体化したものである。【選択図】図１
2007239394.tif 000002
【特許請求の範囲】
【請求項１】
ガラスビーズと繊維とをバインダーで一体化した建築用外壁部材。
【請求項２】
さらに、砂利または貝殻を含む、請求項１に記載の建築用外壁部材。
【請求項３】
前記建築用外壁部材は、門、塀または壁である、請求項１または２に記載の建築用外壁部材。
【発明の詳細な説明】
【技術分野】
【０００１】
この発明は、門、塀および壁等の建築用外壁部材に関し、特に軽量で加工の容易な建築用外壁部材に関する。
【背景技術】
【０００２】
従来の、軽量化をめざした住宅の壁等の仕上げ方法が、たとえば、特開２００２−１５４８５６号公報（特許文献１）に開示されている。同公報によれば、金網等に施工した骨格や既存の壁等に、廃ガラス系モルタルが吹付けられて壁が施工されている。
【特許文献１】特開２００２−１５４８５６号公報（段落番号００２４等）
【発明の開示】
【発明が解決しようとする課題】
【０００３】
従来の軽量化を目指した住宅の壁等は上記のように施工されていた。軽量化とはいいながら、実際は骨格部材が必要であるため、重量があり、かつ施工に時間がかかるという問題があった。
【０００４】
この発明は、上記のような問題点に着目してなされたもので、軽量でかつ施工が簡単な建築用外壁部材を提供することを目的とする。
【課題を解決するための手段】
【０００５】
この発明に係る建築用外壁部は、ガラスビーズと繊維とをバインダーで一体化したものである。
【０００６】
建築用外壁部を、ガラスビーズと繊維とをバインダーで一体化して成形したため、軽量であり、且つ、短時間で成形できる。
【０００７】
また、ガラスビーズとバインダーで成形されているため、透光性を有する。したがって、照明器具と組み合わせることによって、それ自身を発光体にしたり、一部を不透明にすることにより、所望の効果を得ることができる。
【０００８】
好ましくは、砂利または貝殻を含む。
【０００９】
また、建築用外壁部材は、門、塀または壁に利用可能である。
【発明を実施するための最良の形態】
【００１０】
以下、この発明の一実施の形態を、図面を参照して説明する。図１はこの発明の一実施の形態に係る建築用外壁部材を、門に適用した場合の図である。図１（Ａ）は、門の正面斜視図であり、図１（Ｂ）は、図１（Ａ）に示した門をその上方向から見た平面図である。
【００１１】
図１（Ａ）を参照して、門は、基本的に、ガラスビーズと繊維とをバインダーで一体化して成形した平板をその幅方向の端部において折り曲げた形状を有し、上から見て、Ｕ字状を有している（図１（Ｂ）参照）。また、この門１０の幅寸法Ｗは約２０〜２５ｍｍ程度である。
【００１２】
図１（Ａ）に示した例では、門１０は、たとえば、光るブルーのガラスビーズで構成された部分１１と、砂利と繊維が含まれた部分１２と、光るグリーンのガラスビーズで構成された部分１３と、砂利と繊維が含まれた部分１４とを含む。
【００１３】
門１０の下端部１５は、地中に埋め込まれており、埋め込まれた部分には、かんざし筋等の鉄筋を通す、かんざし筋用の穴１６ａ，１６ｂが設けられている。また、門の上部には、表札１７が埋め込まれ、その下部に照明器具１８が設けられている。なお、ポスト等も設けてもよい。
【００１４】
門１０が透光性を有しているため、この照明器具の光は、門１０の背面も照射することができる。また、照明器具１８は、図示のように外部に設けることなく、門１０に内蔵してもよい。
【００１５】
門１０がガラスビーズを含み、繊維を有するバインダーで一体構成されているため、型によって、任意の形状にできる。すなわち、門１０は、型枠の中に骨材とバインダーを混練したものを流し込み成形し、硬化後脱型することによって製造される。
【００１６】
また、上記以外に、石材質のものや、ガラス材質のものも簡単に製造可能である。
【００１７】
図１に示すように、門の全高寸法は約１７００ｍｍであり、その幅寸法は８００ｍｍ程度が好ましい。また、図１には、各部分１１等の寸法も示している。以上のように、門１０は、基本的に繊維強化バインダーを用い、型を用いて成形されており、かつ、その厚さは２５ｍｍ程度であるため、任意の形状に成形できる。また、軽量であるため、搬送や施工が容易である。
【００１８】
従来のように、廃ガラスを用いたものや、ガラスの板であれば、割れたときに危険であるが、ガラスビーズをバインダーで接着したものであるため、万一割れても安全である。また、強度はバインダーの質や量で調整可能である。
【００１９】
なお、バインダーとしてエポキシ樹脂を使えば、熱硬化性なので、短時間で大量生産が可能になる。また、繊維としては、細かく切断された炭素繊維が好ましい。
【００２０】
また、砂利、ガラスビーズ、貝殻等任意のものを一緒に含めて成形することができる。
【００２１】
全体として透光性を有しているため、照明器具１８を内蔵したり、裏側に照明器具を配置することによって、門１０全体を光源の一種としたり、背後の照明器具との組み合わせで所望の効果を得ることができる門を提供できる。
【００２２】
なお、この建築用外壁部材は、門だけでなく、塀や、壁としても利用可能である。
【００２３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２４】
【図１】この発明の一実施の形態に係る建築用外壁部材を、門に適用した場合の図である。
【符号の説明】
【００２５】
１０  門、１１  光るブルーのガラスビーズで構成された部分、１２，１４  砂利と繊維が含まれた部分、１３  光るグリーンのガラスビーズで構成された部分、１５  下端部、１６  かんざし筋用の穴、１７  表札、１８  照明器具。
【図１】
2007239394.tif 000003
(57)【要約】      （修正有）【課題】スッキリさせたデザインのスーツを提供する。【解決手段】スーツの脇ポケットをなくしたスーツである。【選択図】図１
2007239167.tif 000002
【特許請求の範囲】
【請求項１】
スーツの脇ポケットをなくすことを特徴とするスーツ
【発明の詳細な説明】
【技術分野】
【０００１】この発明は、スーツの形状に関する
【背景技術】
【０００２】従来のスーツの形状は図２に示すように脇ポケットがあるものである
【発明の開示】
【発明が解決しようとする課題】
【０００３】脇ポケットをなくすことでスッキリさせたデザインのスーツを提供することを課題とする
【課題を解決するための手段】
【０００４】以上の課題を解決するためスーツの脇ポケットをなくすことを特徴とするスーツである
【発明の効果】
【０００５】
【発明を実施するための最良の形態】
【０００６】
【０００７】「実施形態の効果」【０００８】「他の実施形態」
【図面の簡単な説明】
【０００９】
【符号の説明】
【００１０】
【図１】
2007239167.tif 000003
【図２】
2007239167.tif 000004
【手続補正書】
【提出日】平成18年5月22日(2006.5.22)
【手続補正１】
【補正対象書類名】明細書
【補正対象項目名】０００９
【補正方法】変更
【補正の内容】
【０００９】
【図１】平面図  ・この発明の一実施形態を示す平面図である。
【図２】平面図  ・従来形態を示す平面図である。
【手続補正２】
【補正対象書類名】明細書
【補正対象項目名】００１０
【補正方法】変更
【補正の内容】
【００１０】１．スーツ（上着）の本体
２．スーツ（上着）の脇ポケット
【手続補正３】
【補正対象書類名】図面
【補正対象項目名】全図
【補正方法】変更
【補正の内容】
【図１】
2007239167.tif 000005
【図２】
2007239167.tif 000006
(57)【要約】【課題】本発明は、子供用のつま先部分だけが厚い靴下である。通常は成長が早い子供にあわせ、毎年のように靴を購入するが、靴の購入頻度をおさえるため、つま先だけが厚い靴下を提供する。【手段】通常の素地からなる靴下のつま先部分のみ、１〜３ｃｍ程度多く厚みを設ける。又は、つま先部分のみ１〜３ｃｍ程度の素地を縫合する。【選択図】図１
2007239168.tif 000002
【特許請求の範囲】
【請求項１】
通常の靴下のつま先部分だけが通常より厚い靴下
【発明の詳細な説明】
【技術分野】
【０００１】本発明は、成長の早い子供が、大き目の靴を履く時、その靴内部のフィット感を調整する事ができる靴下に関するものである。
【背景技術】
【０００２】従来、子供の靴を購入する際、子供の成長を見こして、大きめを選択する事があるが、その際、全体的に厚手の靴下で内部のフィット感を調整している。
【発明の開示】
【発明が解決しようとする課題】
【０００３】子供の早い成長を見こして、大きめの靴を選択した際、次のような問題点があった。靴と足のサイズが合わず、靴の中で足が動いてしまう。
これを補うため、全体的に厚手の靴下を履くと、つま先以外の部分がきつくなってしまう。又、靴内部の温度が上昇し暑くなってしまう。
よって結局、単価の高い靴を頻繁に購入する必要があった。
本発明は以上の問題点を解決し、大きめの靴と足のサイズを合わせる工夫がなされたものである。
【課題を解決するための手段】
【０００４】通常の厚さの素地からなる靴下のつま先部分のみ、１〜３ｃｍ程度多く厚みを設ける。又はつま先部分にのみ、１〜３ｃｍ程度の素地を縫合する。
【発明の効果】
【０００５】本発明を使用する事により、安易に子供の靴を選択する事ができ、靴の購入回数が減り、経済的に有利である。又、使用時に全体的に厚手の靴下を履いた時の、きつさと暑さを感じることなく、程よいフィット感を得る事ができる。
【発明を実施するための最良形態】
【０００６】以下、本発明の実施の形態を説明する。
（イ）  通常の素地からなる靴下の部分（１）と通常より１ｃｍから３ｃｍ程度多く厚みをもつ素地をつま先部分（２）に縫合する。
本発明は以上の構成よりなる。
本発明を使用する場合は、通常通りに靴下を履く要領で本発明を履き、大きめの靴を履く。
【図面の簡単な説明】
【０００７】
【図１】  本発明の斜視図
【図２】  本発明の正面図
【符号の説明】
【０００８】  （１）  通常の素地の靴下の部分
（２）  つま先部分
【図１】
2007239168.tif 000003
【図２】
2007239168.tif 000004
(57)【要約】【課題】  肌着の素材として一般に用いられているものは通気性に乏しいため皮膚の発汗作用で体温を効率的に下げることができず、他方吸水性と通気性に優れている不織布は伸縮性に乏しく肌着の素材として不適切な点である。【解決手段】  不織布で肌着を構成することにより、吸水性に優れている不織布で汗を効果的に肌から吸い上げ、通気性に優れている不織布内で汗を気化させ、その過程で発生した温度の低い空気を通気性に優れている不織布を通して肌に触れさせることができるため、皮膚の発汗作用を体温低下に効果的に結びつけることができる。また、不織布に設けた通気孔により通気性と伸縮性を改善し、清涼肌着の効果を更に高めるとともに体に合った肌着を実現し、楽に脱ぎ着ができるようにしている。【選択図】図１
2007239159.tif 000002
【特許請求の範囲】
【請求項１】
不織布（１）に通気孔（２）を設けた素材で構成したことを特徴とする清涼肌着。
【発明の詳細な説明】
【技術分野】
【０００１】
本発明は、高温の環境下において清涼感を得る為の肌着に関するものである。
【背景技術】
【０００２】
高温の環境下で人間が汗をかくのは、その汗が気化するときに奪われる気化熱で体温を下げようとしているのであり、その目的を達成するには肌着に吸収された汗が気化するときに体温が効果的に下がるようにすることが大切である。
【０００３】
汗対応肌着の素材として一般に用いられているものには、クレープ地や肌の汗を吸収し素材の表面からその汗を蒸発させるように特別に工夫されたものなどが使われているが通気性に乏しく、汗が素材から蒸発したときに奪われる気化熱で効率的に体温を下げることができない。
【特許文献１】特開２００５−１４６４８５号公報
【０００４】
他方、吸水性と通気性が極めて大きい素材として不織布があるが、伸縮性に乏しく肌着の素材としては不適切である。
【発明の開示】
【発明が解決しようとする課題】
【０００５】
肌着の素材として一般に用いられているものは通気性に乏しいため、汗が蒸発するときに奪われる気化熱で素材表面の温度は下がるが、その効果を肌表面の温度低下に効果的に結びつけることができない点である。また、吸水性と通気性が優れている不織布は伸縮性に乏しく肌着の素材として不適切なことである。
【課題を解決するための手段】
【０００６】
不織布が大きな吸水性と通気性を有することを利用し、この不織布で肌着を構成することにより皮膚の発汗作用を体温低下に効果的に役立てることができる。
【０００７】
この発明においては、不織布（１）に通気孔（２）を設けることにより素材の通気性を更に増すとともに通気孔の形状と配置を工夫して素材の伸縮性を改善し、肌着が体形に合うようにするとともに肌着の脱ぎ着が楽にできるようにしている。
【発明の効果】
【０００８】
本発明の清涼肌着では、素材として用いられている吸水性のよい不織布で汗が効果的に肌から吸い上げられ通気性のよい不織布内で汗が蒸発し気化熱が奪われ、そのために温度が下がった空気が通気性のよい不織布を通して肌に触れるため効率的に体温を下げることができる。
【０００９】
また、本発明では不織布に通気孔を設けることにより伸縮性を改善し、体形に合うようにするとともに楽に脱ぎ着ができるようにしている。
【発明を実施するための最良の形態】
【００１０】
皮膚の発汗作用により効率的に体温を下げるという目的を、肌着の素材に吸水性と通気性に優れている不織布を用いることにより実現した。
【実施例１】
【００１１】
図１は、本発明の清涼肌着の概念図である。不織布にスリット状の通気孔を配置することにより不織布の通気性と伸縮性を改善している。
【００１２】
不織布は織物ではないためほころびるという現象が起きず、したがって通気孔の形状は、方形、円、楕円などさまざまな形とすることができるほか、単に直線状に切れ目を入れる方法も用いることができる。また、通気孔の配置にも図１に示す方法のほかさまざまな方法を用いることができる。
【産業上の利用可能性】
【００１３】
本発明の清涼肌着は、わずかでも空気の流れがあると清涼効果が特に大きくなるので、屋外での労働や炎天下のゴルフなどアウトドアースポーツで効果的に利用することができる。
【図面の簡単な説明】
【００１４】
【図１】清涼肌着の概念図である。
【符号の説明】
【００１５】
１    不織布
２    通気孔
【図１】
2007239159.tif 000003
(57)【要約】【課題】  自動車１０の乗降時の雨除け具や曲面状の巻き取り庇（ひさし）に利用できるゼンマイバネ１を提供する。【解決手段】  展開した形状が、円錐台３の側面を１つの母線４から展開した形状であるゼンマイバネ１。【選択図】図１
2007239985.tif 000002
【特許請求の範囲】
【請求項１】
展開した形状が、円錐台３の側面を１つの母線４から展開した形状であるゼンマイバネ１。
【請求項２】
（イ）請求項１のゼンマイバネ１の直線状の１つの端部に、シート２を取り付ける。（ロ）シート２の形状は、展開した形状が、円錐台３の側面を１つの母線４から展開した形状である。（ハ）ゼンマイバネ１には、シート２の直線状の１つの端部を取り付ける。（ニ）ゼンマイバネ１とシート２を取り付けた形状は、円錐台３の側面を１つの母線４から展開した形状である。  以上の構成より成るシート付きゼンマイバネ３０。
【発明の詳細な説明】
【技術分野】
【０００１】  この発明は、展開した形状が、円錐台３の側面を１つの母線４から展開した形状であるゼンマイバネ１に関するものである。
【背景技術】
【０００２】  従来のゼンマイバネは、展開した形状が長方形である。このゼンマイバネを利用したものの１つに、自動的に巻き取る巻尺がある。
【発明の開示】
【発明が解決しようとする課題】
【０００３】  展開した形状が長方形であるゼンマイバネでは、次のような欠点がある。（イ）図５、６で示すような、自動車１０の乗降時の雨除け具に利用できない。（ロ）図７で示すような、曲面状の巻き取り庇（ひさし）に利用できない。  本発明は、これらの欠点を解決するためになされたものである。
【課題を解決するための手段】
【０００４】  まず、請求項１について説明する。  図１、２で示すように、展開した形状が、円錐台３の側面を１つの母線４から展開した形状であるゼンマイバネ１である。  次に、請求項２について説明する。（イ）請求項１のゼンマイバネ１の直線状の１つの端部に、シート２を取り付ける。（ロ）シート２の形状は、展開した形状が、円錐台３の側面を１つの母線４から展開した形状である。（ハ）ゼンマイバネ１には、シート２の直線状の１つの端部を取り付ける。（ニ）ゼンマイバネ１とシート２を取り付けた形状は、円錐台３の側面を１つの母線４から展開した形状である。  本発明は、以上の構成より成るシート付きゼンマイバネ３０である。
【発明の効果】
【０００５】  本発明により、次のような効果が得られる。（イ）図５、６で示すような、自動車１０の乗降時の雨除け具に利用できる。（ロ）図７で示すような、曲面状の巻き取り庇（ひさし）に利用できる。
【発明を実施するための最良の形態】
【０００６】  以下、本発明を実施するための最良の形態を説明する。  まず、請求項１について説明する。  図１、２で示すように、本発明は、展開した形状が、円錐台３の側面を１つの母線４から展開した形状であるゼンマイバネ１である。  これを造るには、円錐台３の側面を１つの母線４から展開した形状の金属鈑をゼンマイ状に巻く。金属板は、従来からゼンマイバネに使用しているものである。【０００７】  次に、請求項２について説明する。  本発明は、次の構成より成るシート付きゼンマイバネ３０である。（イ）請求項１のゼンマイバネ１の直線状の１つの端部に、シート２を取り付ける。（ロ）シート２の形状は、展開した形状が、円錐台３の側面を１つの母線４から展開した形状である。（ハ）ゼンマイバネ１には、シート２の直線状の１つの端部を取り付ける。（ニ）ゼンマイバネ１とシート２を取り付けた形状は、円錐台３の側面を１つの母線４から展開した形状である。  図３で示すように、ゼンマイバネ１とシート２を取り付ける取り付け部８は、伸縮に支障がないように、接着剤で取り付けるか、ゼンマイバネ１とシート２がとめられる用具を備える。ゼンマイバネ１とシート２がとめられる用具の大きさは、伸縮に支障がないように、幅も厚みも極力最小にとどめる。【０００８】  シート２の材質は、水分や伸縮に強いものであればよい。例として、ビニールなどがある。【０００９】  請求項２の本発明を収納するために収納部５を設ける。図示しないが、収納部５には、シート２を取り付けないゼンマイバネ１の直線状の他の端部が取り付けられるゼンマイバネ１取り付け部を設け、ゼンマイバネ１を固定する。【００１０】  また、図示しないが、収納部５には、ゼンマイバネ１に取り付けないシート２の直線状の他の端部が、収納部５から引っ張り出せるように開口部を設ける。【００１１】  ゼンマイバネ１の厚みとシート２の厚みは、同一前後が好ましい。
【使用例】
【００１２】  図５、６で示すような、自動車１０の乗降時の雨除け具に利用できる。  請求項２の収納部５を車内天井１３付近の窓際に取り付ける。シート２の直線状の１つの端部に引っ掛け部９を設け、ドア１１の窓ガラス１２を少し空けて、その隙間に引っ掛け部９を引っ掛けて窓ガラス１２を閉める。こうすれば、ドア１１を開けたときに本発明が引っ張られてシート部７が雨除けの役割を果たす。ドア１１を閉めれば、ゼンマイバネ１の働きによって、シート部７が収納部５に収納される。このとき、シート部７に付いた水滴は絞り落とされて車外に落ちる。図５、６でのゼンマイバネ部６は、理解し易いように収納部５からはみ出ているが、実際は収納部５からはみ出ない。
【００１３】  図７で示すような、曲面状の巻き取り庇（ひさし）に利用できる。  請求項２の収納部２２と引っ掛け部２３をあらかじめ建物２１に設置しておく。庇を設ける場合は、庇部２４を収納部２２から庇を引っ張り出して、引っ掛け部２３に引っ掛ける。図示しないが、庇部２４を引っ張り出し易いように、庇部２４の端に紐を付けて引っ掛け部２３に垂らしておく。図７でのゼンマイバネ部６は、理解し易いように収納部２２からはみ出ているが、実際は収納部２２からはみ出ない。
【図面の簡単な説明】
【００２０】
【図１】は、請求項１の斜視図である。
【図２】は、請求項１の展開図である。
【図３】は、請求項２の展開図である。
【図４】は、円錐台３の斜視図である。
【図５】は、請求項２の利用図である。
【図６】は、請求項２の利用図である。
【図７】は、請求項２の利用図である。
【符号の説明】
【００３０】１ゼンマイバネ    ２シート    ３円錐台    ４母線    ５収納部６ゼンマイバネ部    ７シート部    ８取り付け部    ９引っ掛け部１０自動車    １１ドア    １２窓ガラス    １３車内天井２１建物    ２２収納部    ２３引っ掛け部    ２４庇部３０シート付きゼンマイバネ
【図１】
2007239985.tif 000003
【図２】
2007239985.tif 000004
【図３】
2007239985.tif 000005
【図４】
2007239985.tif 000006
【図５】
2007239985.tif 000007
【図６】
2007239985.tif 000008
【図７】
2007239985.tif 000009
(57)【要約】      （修正有）【課題】直線方向や円方向に歯車を使って動かし、寸法や位置を決める機構において、簡単でバックラッシュなどの少ない高い技術がもとめられている。技術の進歩により精度の高い製品が主流の今、手動式の簡単な、そして確実な機構を必要としている。【解決手段】位置決めなどの機構において、磁石を使う事により簡単で確実な作業ができる。用途に合った強さの磁石と、駆動するための歯車を一体にし、磁石の力による摩擦抵抗を駆動歯車に与える。この時、動かす側と動かされる側の片方より、双方に磁石が接した方が精度が上がる。磁石の抵抗を超える力で、駆動歯車を手動により作動させ、手を放せば磁石の力でロック状態となる。【選択図】図１
2007239984.tif 000002
【特許請求の範囲】
【請求項１】
駆動軸と磁石とを組合せ、磁石の吸い付く力で駆動軸にブレーキをかけロックする装置。
【発明の詳細な説明】
【技術分野】
【０００１】直線方向や円方向に歯車を使って動かし、寸法や位置を決める機溝において、簡単でバックラッシュなどの少ない精度の高い技術が求められている。
【背景技術】
【０００２】位置決めや寸法設定は、日々精度の高い機種が考案され製品化されております。
その中にあって、手動であっても簡単で精度の高い機構を必要としています。【０００３】
【特許文献】
【発明の開示】
【発明が解決しようとする課題】
【０００４】位置決めや寸法設定を、簡単で精度の高い機構にする事が課題です。
【課題を解決するための手段】
【０００５】用途に合った強さの磁石と、駆動する為の歯車を一体にし、磁石の力による摩擦抵抗を駆動歯車に与える。（この時、動かす側と動かされる側の片方より、双方に磁石が接した方が精度が上がる。）磁石の抵抗を超える力で、駆動歯車を手動により作動させ、手を放せば磁石の力によりロック状態になる。
【発明の効果】
【０００６】磁石の力により、簡単でバックラッシュの少ない精度の高い位置決めができる。
【実施例】
【０００７】図２を参考に実施例を説明する。
円盤状の「磁石１」に「歯車２」を固定し「支点４」にセットし、「歯車２」と「ラック３」を噛み合せ、「ラック３」の吸着面と「固定された磁石吸着面５」にまたがり、「磁石１」をセットする。「磁石１」の摩擦を超える力で、「支点４」を軸に「磁石１」を回転すれば、「ラック３」が左右に移動する。手を放せば磁石の力により、ロック状態になる。
【図面の簡単な説明】
【０００８】
【図１】直線運動。装置より「磁石１」「駆動歯車２」を引き上げ、分かりやすくした図である。
【図２】図１の部品を組立て、上より見た図である。
【符号の説明】
【０００９】１．円盤状磁石
２．駆動歯車
３．ラック（磁石の吸着面でもある）
４．駆動歯車の支点（ベース６に固定）
５．固定された磁石吸着面
６．ベース
【図１】
2007239984.tif 000003
【図２】
2007239984.tif 000004
(57)【要約】【課題】歴史的な原油の高値が持続するとおもわれる中、わが国において火力発電に代わるものとして、原子力発電が進められている。しかし、後者においては安全性が確立されているとはいい難く、よりクリーンな発電システムが必要である。【解決手段】環状構造物（１と７）の（Ｃ）〜（Ｄ）においては、パイプに導かれて水底のポンプから押し出され、空気溜めに溜まった空気による浮力で上向きに引っ張られる。環状構造物の（Ａ）〜（Ｂ）においては、重力で下向きに引っ張られる。このことで環状構造物に働く回転を発電に利用する。【選択図】図１
2007239726.tif 000002
【特許請求の範囲】
【請求項１】
イ）固定された構造物に水面上から底まで通じるパイプと、そのパイプ下端に空気ポンプを設置される。
ロ）複数の空気溜めが設けられ、回転可能であることを特徴とする環状構造物が設置される。
ハ）空気ポンプから押し出された気泡が空気溜め（Ｃ〜Ｄ）において作用する浮力と、空気溜め（Ａ〜Ｂ）において作用する重力により引き起こされる、環状構造物の回転を発電機に伝える。
以上の如く構成された発電システム。
【発明の詳細な説明】
【技術分野】
【０００１】本考案は、ダム側面や海中固定物に設置された環状構造物の回転による、発電システムに関するものである。
【背景技術】
【０００２】従来より天候に左右されないクリーンな発電システムとして、太陽光や風力を利用した複合発電システムなどが模索されてきた。
【発明の開示】
【発明が解決しようとする課題】
【０００３】従来の方法では既存の構造物が活用できず、発電施設の建設コストが高くついた。また、従来の発電システムにおいて、火力発電では資源の枯渇や二酸化炭素の増加、原子力発電では安全性などの点から問題があった。現在の段階では、気象に左右されないクリーンな発電システムはまだ確立されていない。
【課題を解決するための手段】
【０００４】本考案では水面上から湖底或いは海底付近までパイプを通じ、パイプの下端に空気ポンプを設置する【０００５】ダムの側面や海中構造物などに、複数の一方の開いた中空の空気溜め（１）を二本のワイヤで固定し、移動の方向に先端（Ｅ）が向くように設置する。なお、空気溜めとワイヤを併せて環状構造物と表記した。
【発明の効果】
【０００６】本考案による発電システムでは環状構造物の（Ａ〜Ｂ）と（Ｃ〜Ｄ）を長くすることで、より水深の大きいところで、膨大なエネルギーが得られる。又、天候に左右されない持続的なエネルギー供給が可能となる。
【発明を実施するための最良の形態】
【０００７】この発明一実施形態を図１に示す
空気ポンプから出てきた気泡は空気溜め（Ｃ〜Ｄ）に溜まり浮力が生じ、環状構造物の（Ｃ〜Ｄ）の部分を上向きに引っ張り、空気溜め（Ａ〜Ｂ）は重力により下向きに引っ張られる。これらの力により、環状構造物は回転し、それを発電機に伝えることで電力を得る。【０００８】パイプ、ワイヤ及び空気溜めは水中或いは海水中において腐食に耐えられる素材が好ましく、空気ポンプの電力は上記の発電システムで作り出された電力を使用する。【０００９】空気溜めは水の抵抗を最小限に抑えるため流線型をなしており、ワイヤが耐えられる重量の素材が適当である。【００１０】「実施形態の効果」
本考案では、ダムや油井などの既存の建築物を有効に利用できるため、建設費が低く抑えられ、同時に、天然資源を使用しないために我が国において望ましい発電システムである。
【図面の簡単な説明】
【００１１】
【図１】この発明の一実施形態を示す斜視図である。
【図２】空気溜め（１）を示す斜視図である。
【符号の説明】
【００１２】１、空気溜め        ２、パイプ          ３、水面
４、ポンプ          ５、水底            ６、発電機
７、ワイヤ          ８、滑車
【図１】
2007239726.tif 000003
【図２】
2007239726.tif 000004
(57)【要約】      （修正有）【課題】自然乾燥による亀裂等を表面に生じにくい保管の容易な木製の墓標を提供する。【解決手段】よく乾燥させた亀裂や節の無い木製の板を組み合わせて、墓標本体１を角柱の構造にする。また、墓標の中空部の側面に直角に密接する桟３となる板を取り付けることにより、ねじれや曲がりも防止する。最頂部の桟３は雨水等の内部への侵入を防ぐ蓋の役目ばかりではなく、仏教の宗派や地域の慣習ならびに設置者の要望に合致した形状に加工することができ、商品としてよりすぐれたものとなる。さらに、墓標を中空の角柱にしたことで木材の使用量を減らせ、商品の軽量化ならびに木材資源の有効利用に寄与する。【選択図】図１
2007239427.tif 000002
【特許請求の範囲】
【請求項１】
埋葬者の戒名及び姓名等を表示する墓標において、木製の板を組み合わせて、中空の角柱状をした構造を特徴とする墓標。
【請求項２】
中空の角柱の内部に、その側面と直角に密着する桟となる板を接合して、角柱側面の板の曲がり及びねじれを防止する構造を施したことを特徴とする請求項１記載の墓標。
【発明の詳細な説明】
【技術分野】
【０００１】  この発明は、埋葬の場所および埋葬者を特定するために墓地に設置する木製の墓標に関するものである。
【背景技術】
【０００２】  従来の木製の墓標は、木材の丸太を四角形の柱に製材し、所定の寸法に切断して、表面を削って製作したものである。
【発明の開示】
【発明が解決しようとする課題】
【０００３】  丸太を製材して製作された従来の墓標（無垢の木製墓標）は、販売に供する為に、室内において日光や風などを遮蔽して保管していても、自然乾燥により、その表面に割れやひび（以下亀裂という）を生じる。この亀裂は墓標の全面に起こり得るもので、時間の経過と共にその数も大きさも増大する。この現象は、いかに良く乾燥させた木材といえども、芯を含む木材に共通して起こるものである。このことは、墓標に書き込む戒名等の墨書に支障を来たすばかりではなく、墓標としての品質を下げることとなり、亀裂がひどい場合は商品価値がなくなってしまい、販売店での保管が難しい商品とされている。
そこで、本発明は、良く乾燥させた板材を使用して、表面に亀裂等が起きにくく、しかも保管が容易な墓標を提供することを課題とする。【０００４】  また、墓標は、その表面に節（フシ）のないものが伝統的に好まれる為、その原材料は良質の建築用または工芸用の用材として流通し得る木材を使用するため、高価な商品として販売される要因となっている。
このため、本発明は、節の無い板を使用することにより、安価でしかも見栄えの良い墓標を提供することを課題とする。【０００５】  さらに、墓標は、長期間野外に設置されるもので、表面の亀裂ばかりではなく、ねじれや曲がりなども生じやすい。
このため、本発明は、これらのねじれや曲がりを防止する構造を施した墓標を提供することを課題とする。
【課題を解決するための手段】
【０００６】  以上の課題を解決するために、第一発明は、十分に乾燥させた木製の板の中から、亀裂および節の無い板を箱型に組合せ、中空の角柱状をした構造を特徴とする墓標である。【０００７】  第二発明は、木製の板は亀裂や節が無くても、ねじれや曲がりが起きやすいので、これらを防止するために、中空の角柱の内部の側面に直角に密着する桟（サン）となる板を接合させたことを特徴とする墓標である。【０００８】  なお、角柱の先端部（最上部）に取り付ける桟は、内部の側面に密着するばかりではなく、中空の四角柱の蓋となる構造を有し、角柱内部への甬水等の侵入を防止する構造を特徴とする墓標である。
【発明の効果】
【０００９】  第一発明によれば、十分に乾燥させた亀裂や節の無い木製の板を組み合わせて、中空の角柱状の墓標を作成することにより、従来の無垢の木製墓標に比べ保管が容易で、しかも安価で見栄えの良い軽量の墓標が提供できる。【００１０】  さらに、木材資源の有効利用の観点から捉えれば、本発明は、板を使用して中空の箱型をした墓標を提供することにより、従来の無垢の墓標に比べ木材の使用量が少なくてすみ、木材資源の有効利用につながるものである。【００１１】  第二発明によれば、中空の角柱の内部にその側面と直角に桟を接合することにより、ねじれや曲がりの少ない墓標を提供できる。【００１２】  さらに、角柱の先端部（最上部）に取り付けて、中空の角柱の蓋の機能を兼ねる桟は、仏教の宗派や地域の慣習ならびに設置者の要望に合致した形状に加工することができ、使用者の要望にきめ細かく対応することが可能となる。
【発明を実施するための最良の形態】
【００１３】  この発明の実施形態を図１及び図２に示す。【００１４】  墓標の本体１は、図１のＡ１〜Ａ４からなる４枚の木製の板を組み合わせた中空の角柱によって構成され、その最上部に角柱の蓋Ｂを取り付けたものである。【００１５】  墓標の内部（中空部）には、Ａ１〜Ａ４の側板面に直角に密接する桟となる板Ｃ１〜Ｃ３を取り付ける。これを図２に示す。
【実施形態の効果】
【００１６】  この実施形態によれば、墓標を構成する材料に、亀裂や曲がりが無くしかも節の無い、十分に乾燥させた木製の板を使用することにより、製品にひびや割れが発生しにくく、しかもねじれや曲がりも少ない、保管が容易な墓標を提供することができる。
【００１７】  本発明による中空の墓標が提供されることは、木材資源の節約になるばかりではなく、軽量化され、運搬等の取り扱いも容易になる。
【他の実施形態】
【００１８】  墓標の最下部に図１及び図２に示す左右に突出する安定板を取り付けることにより、上中での墓標の固定がより強固となり、設置した墓標の転倒防止に効果がある
【図面の簡単な説明】
【００１９】
【図１】この発明の一実施形態を示す斜視図である。
【図２】この発明の各部の実施形態を示す斜視図である。
【符号の説明】
【００２０】１  墓標本体  （Ａ１〜Ａ４）            ２  蓋  Ｂ
３  桟  （Ｃ１〜Ｃ３）                  ４  安定板
【図１】
2007239427.tif 000003
【図２】
2007239427.tif 000004
(57)【要約】      （修正有）【課題】既存のバンド体を利用でき、しかも、本柱に対する支柱の傾斜角度に比較的自由度のある電柱支持装置を提供する。【解決手段】本柱Ｄと該本柱Ｄを支持する傾斜支柱Ｓのそれぞれに緊締ボルト５で締付けたバンド体Ｂａ，Ｂｂを取付ける。該バンド体Ｂａ，Ｂｂに前記緊締ボルト５で端部を枢着した連結片１を前記バンド体Ｂａ，Ｂｂ間に介在させる。【選択図】図１
2007239409.tif 000002
【特許請求の範囲】
【請求項１】
本柱と該本柱を支持する傾斜支柱のそれぞれに緊締ボルトで締付けたバンド体を装置し、該バンド体間に介在させた連結片の一端部を、前記緊締ボルトで前記一方のバンド体に、他の一端部を前記緊締ボルトで前記他の一方のバンド体にそれぞれ枢着した、電柱支持装置。
【発明の詳細な説明】
【技術分野】
【０００１】
本発明は、本（電）柱を傾斜させた支柱によって支持する電柱支持装置に関するものである。
【背景技術】
【０００２】
本柱と該本柱を支持する傾斜支柱のそれぞれにバンド体を緊締ボルトで締め付け、該バンド体を構成する連結部片同士を前記緊締ボルトで互いに締め付けるようにした構造のものが知られている（例えば、特許文献１）。
【０００３】
【特許文献１】実公昭６０−１２８４３号公報
【発明の開示】
【発明が解決しようとする課題】
【０００４】
前記従来例は、バンド体同士（本柱と支柱）の連結は、本柱支持に不可欠な、該バンド体を構成する連結部片を連結する手段を採るため、連結部片を構成材とするバンド体自体それ専用のものを用意する必要があり、経済的でなく、また、前記連結部片を単一な組付け軸（緊締ボルト）で連結するため、本柱に対する支柱の傾斜角度は自ら制約を受けることになり、適用上の制約を受ける。
【０００５】
本発明は斯様な従来例の欠点に着目し、緊締ボルトで複数のバンド片を電柱に締付けるようにした既存のバンド体を利用でき、しかも、本柱に対する支柱の傾斜角度の選択に自由度のある電柱支持装置を提供することを目的として創案したものである。
【課題を解決するための手段】
【０００６】
本柱と該本柱を支持する傾斜支柱のそれぞれに緊締ボルトで締付けたバンド体を装置し、該バンド体間に介在させた連結片の一端部を、前記緊締ボルトで前記一方のバンド体に、他の一端部を前記緊締ボルトで前記他の一方のバンド体にそれぞれ枢着した、構成とするのである。
【発明の効果】
【０００７】
本発明によれば、バンド体を構成するバンド片の緊締用の緊締ボルトを利用して連結片を組付け、本柱側のバンド体と支柱側のバンド体を連結するものであるが、既存の、緊締ボルトで電柱に締付けるようにしたバンド体をそのまま利用した電柱支持装置を得ることができるから、特別なバンド体を用意する必要がないから経済的であり、また、在庫管理上も好適である。
【０００８】
また、バンド体同士すなわち本柱と支柱は、２軸で連結する構成を採るから、本柱に対する支柱の傾斜角度を自在に設定することができ、従って、現場環境に応じて本柱を確実に支持できる電柱支持装置を提供できる。
【実施例】
【０００９】
図面は本発明に係る電柱支持装置の一実施例を示し、図１は正面図、図２は図１のａ−ａ線断面図、図３は連結片の斜視図である。
【００１０】
本発明に係る電柱支持装置は、本柱Ｄおよび傾斜支柱Ｓに締付けた互いに同形なバンド体Ｂａ，Ｂｂと該バンド体Ｂａ，Ｂｂ間に介在させてバンド体Ｂａ，Ｂｂ同士を、すなわち、本柱Ｄと傾斜支柱Ｓを連結する連結片１とで構成したものである。
【００１１】
バンド体Ｂａ，Ｂｂは、一端同士を接続ボルト３と接続ナット４で接続した一対のバンド片２，２´の他の一端側の緊締受部片２ａ，２ａおよび２´ａ，２´ａ間に緊締ボルト５をわたし、一方の緊締受部片２ａ，２´ａから突出するボルト先端に緊締ナット６を螺合して締付けた、所謂４片式の、公知の構造体で構成するもので、本体Ｄ側のバンド体Ｂａの支柱Ｓ側の緊締受部片２ａ，２ａにわたした緊締ボルト５には該緊締ボルト５を貫通させるようにして前記連結片１の一端部を前記緊締受部片２ａ，２ａ間に介在させて配し、また、連結片１の他の一端部は前記傾斜支柱Ｓ側の、バンド体Ｂｂの本柱Ｄ側の緊締受部片２ａ，２ａにわたした緊締ボルト５に、前記本柱Ｄ側と同様に、該緊締ボルト５を貫通させるようにして前記緊締受部片２ａ，２ａ間に介在させて配し、該連結片１を介して両バンド体Ｂａ，Ｂｂすなわち本柱Ｄと傾斜支柱Ｓを連結して実施例装置としたものである。
【００１２】
前記連結片１は、鋼板を屈曲して構成し、中央部片１ａと相対する側部片１ｂ，１ｂおよび側部片１ｂ，１ｂの一端側を直角に折り曲げて前記中央部片１ａに相対する側の開口端ａの一部を閉塞した補強部片１ｃ，１ｃとを備えた、側部片１ｂがやや三角状の箱状体で成り、三角形状の頂点に当る隅角部とこれに隣接する一方の隅角部に貫通孔７，７を設け、この貫通孔７，７に前記緊締ボルト５を貫通させて両バンド体Ｂａ，Ｂｂ間に介在させたものである。
【００１３】
なお、連結片１に補強部片１ｃを設けたのは、緊締ボルト５に緊締ナット６を螺合締め付けたとき、その締め付け圧による連結片１（箱状の）の圧潰を防ぐためである。
【００１４】
そして、接続ボルト３と接続ナット４によってバンド片２，２´同士を接続し、一対の該接続体のバンド片２´側を緊締ボルト５と緊締ナット６とによって組付けてバンド体Ｂａ，Ｂｂ（バンド片２側の緊締ボルト５を省略した状態の）と成し、該バンド体Ｂａ，Ｂｂのバンド片２の緊締受部片２ａ，２ａ間に連結片１を介在させて該連結片１に設けた対応する貫通孔７を通じて緊締ボルト５を緊締部片２ａ，２ａ間にわたし、一方の部片２ａより突出するボルト先端に緊締ナット６を螺合して、連結片１を介して一対のバンド体Ｂａ，Ｂｂを互いに連結した状態のバンド構造体を得、該バンド構造体の一方のバンド体Ｂａ側を現場に予め立設した本柱Ｄの先端側に嵌合する一方、該本柱Ｄに対して交差方向に配した（傾斜させた）支柱Ｓの先端側に他の一方のバンド体Ｂｂ側を嵌合させ、各柱Ｄ，Ｓの軸線に対してバンド体Ｂａ，Ｂｂの径方向が直交する方向に位置するようにして（このとき、必要に応じて接続ボルト３をバンド片２，２´に設けた調節孔９，…の適宜のものに組付け代えて、柱径に対応させる）、各ナット４，６を締付けることにより実施例装置を得るのである。
【図面の簡単な説明】
【００１５】
【図１】正面図。
【図２】図１のａ−ａ線断面図。
【図３】連結片の斜視図。
【符号の説明】
【００１６】
１          連結片
５          緊締ボルト
Ｂａ，Ｂｂ  バンド体
Ｄ          本柱
Ｓ          傾斜支柱
【図１】
2007239409.tif 000003
【図２】
2007239409.tif 000004
【図３】
2007239409.tif 000005
(57)【要約】【課題】ボールとの摩擦による摩擦熱や摩耗粉を生じにくい合成樹脂製保持器を提供する。【解決手段】ボール３を収容する半球状のポケット７を環状体６の側面に周方向に間隔をおいて形成し、そのポケット７を環状体の周方向に挟んで対向する爪８を環状体６の側面に形成した玉軸受用保持器において、ポケット７の内面に、環状体６の軸方向に見て周方向に連続するグリース溝９を形成する。【選択図】図１
2007239854.tif 000002
【特許請求の範囲】
【請求項１】
ボール３を収容する半球状のポケット７を環状体６の側面に周方向に間隔をおいて形成し、そのポケット７を環状体の周方向に挟んで対向する爪８を前記環状体６の側面に形成した玉軸受用保持器において、前記ポケット７の内面に、前記環状体６の軸方向に見て周方向に連続するグリース溝９を形成したことを特徴とする合成樹脂製保持器。
【請求項２】
前記グリース溝９を、前記爪８の先端８ａに開放して形成した請求項１に記載の合成樹脂製保持器。
【発明の詳細な説明】
【技術分野】
【０００１】
この発明は、転がり玉軸受に組み込まれる合成樹脂製保持器に関する。
【背景技術】
【０００２】
転がり玉軸受に組み込まれる合成樹脂製保持器として、ボールを収容する半球状のポケットを環状体の側面に周方向に間隔をおいて形成し、そのポケットを環状体の周方向に挟んで対向する爪を環状体の側面に形成した合成樹脂製保持器が知られている（特許文献１）。
【０００３】
しかし、この保持器は、ポケットの内面にグリース溜りが設置されていない。そのため、保持器とボールの間の潤滑状態が好ましくなく、この保持器を組み込んだ玉軸受は、保持器とボールの摩擦熱によって温度が上昇しやすい。また、保持器とボールの摩擦によって生じた摩耗粉によってグリースを早く劣化させるという問題があった。
【０００４】
特に、自動車電装・補機に用いられるグリース封入玉軸受には高い信頼性が求められ、グリースを劣化させにくい保持器の実現が望まれている。
【特許文献１】特開平８−２１４５０号公報
【発明の開示】
【発明が解決しようとする課題】
【０００５】
この発明が解決しようとする課題は、ボールとの摩擦による摩擦熱や摩耗粉を生じにくい合成樹脂製保持器を提供することである。
【課題を解決するための手段】
【０００６】
上記の課題を解決するために、ボールを収容する半球状のポケットを環状体の側面に周方向に間隔をおいて形成し、そのポケットを環状体の周方向に挟んで対向する爪を前記環状体の側面に形成した玉軸受用保持器において、前記ポケットの内面に、前記環状体の軸方向に見て周方向に連続するグリース溝を形成した。
【０００７】
この合成樹脂製保持器は、前記グリース溝を前記爪の先端に開放して形成するとより好ましいものとなる。
【発明の効果】
【０００８】
この発明の合成樹脂製保持器は、グリース溝に保持されるグリースが、ポケットの内面とボールの間を潤滑して摩擦熱や摩耗粉の発生を抑制する。そのため、摩擦熱による温度上昇や摩耗粉によるグリース寿命の低下を生じにくい。
【０００９】
さらに、前記グリース溝を前記爪の先端に開放して形成したものは、軸受回転時に爪の先端からグリース溝内にグリースが流入するので、ポケット７の内面とボール３の間をより安定して潤滑することができる。
【発明を実施するための最良の形態】
【００１０】
この発明の実施形態に係る合成樹脂製保持器を、図１から図４に基づいて説明する。図１に示す玉軸受は、内輪１と外輪２の間にボール３が組み込まれ、そのボール３がこの発明の実施形態に係る保持器４で保持されている。また、内輪１と外輪２の間には軸方向に対向する環状のシール部材５，５が組み込まれ、このシール部材５が、内輪１と外輪２の間に封入されたグリースの漏れを防止している。
【００１１】
保持器４は合成樹脂製の環状体６を有し、環状体６の側面には、図２、図３に示すようにボール３を収容する半球状のポケット７が周方向に間隔をおいて形成されている。また、環状体６の側面には、ポケット７を周方向に挟んで対向する爪８，８が形成され、図３に示すように、この爪８でボール３がポケット７内に保持される。
【００１２】
また、ポケット７の内面には、図２に示すように環状体６の軸方向に見て、ボール３のピッチ円の位置に周方向に連続するグリース溝９が形成され、このグリース溝９は、図３、図４に示すように爪８の先端８ａに開放して形成されている。
【００１３】
また、環状体６のポケット７を形成した側面とは反対の側面には、図１、図３に示すように隣り合うポケット７，７間の位置に盗み１０が設けられ、その盗み１０が保持器４の厚みを均一化して、成形後の変形を防止している。
【００１４】
環状体６を構成する合成樹脂としてはポリアミド（ＰＡ）やポリフェニレンサルファイド（ＰＰＳ）等のエンジニアリングプラスチック単体材料、あるいは更にガラス繊維、炭素繊維などの短繊維を混入して強化した複合材料を用いることができる。
【００１５】
この保持器４を用いると、グリース溝９に保持されるグリースが、ポケット７の内面とボール３の間を潤滑して摩擦熱や摩耗粉の発生を抑制する。そのため、この保持器４を組み込んだ玉軸受は、摩擦熱による温度上昇や摩耗粉によるグリース寿命の低下を生じにくい。
【００１６】
また、この保持器４は、グリース溝９が爪８の先端８ａに開放しているので、軸受回転時に爪８の先端８ａからグリース溝９内にグリースが流入する。そのため、グリース溝９内のグリースが不足しにくく、ポケット７の内面とボール３の間を安定して潤滑することができる。
【００１７】
上記実施形態では、保持器４を深溝玉軸受に組み込んだ例を挙げて説明したが、この保持器４は、たとえばアンギュラ玉軸受等の他の形式の玉軸受に組み込んでもよい。
【図面の簡単な説明】
【００１８】
【図１】この発明の合成樹脂製保持器を組み込んだ玉軸受を示す断面図
【図２】図１に示す保持器の平面図
【図３】図２のIII−III線に沿った断面図
【図４】図３のIV−IV線に沿った断面図
【符号の説明】
【００１９】
３      ボール
４      保持器
６      環状体
７      ポケット
８      爪
８ａ    先端
９      グリース溝
１０    盗み
【図１】
2007239854.tif 000003
【図２】
2007239854.tif 000004
【図３】
2007239854.tif 000005
【図４】
2007239854.tif 000006